(57)【要約】      （修正有）【課題】導体の幅と高さのアスペクト比が高く、導体間のスペースが狭く、２段に巻回されたインダクタの１段目と２段目を繋ぐ部分の導体に応力負荷が生じることのないインダクタの製造方法を提供する。【解決手段】支持体上に第１の絶縁体層を形成する工程、第１の絶縁体層上に複数の導体パターンを形成する工程、導体パターン１１Ａの上面の少なくとも一部が露出する様に所定の部分に第２の絶縁体層１１Ｂを形成する工程、導体パターン１１Ａを少なくとも１つ有する様に切り込みを入れ、支持体から剥離して巻線部を形成する工程及び、巻線部を、導体パターン１１Ａの上面が露出した面を内側にした状態で導体パターン１１Ａの両端部１１Ａ２、１１Ａ３が外周部に位置する様に巻回してコイルを形成する工程を備える。【選択図】図１
2015115515.tif 000002
【特許請求の範囲】
【請求項１】
支持体上に第１の絶縁体層を形成する工程、
該第１の絶縁体層上に複数の導体パターンを形成する工程、
該導体パターンの上面の少なくとも一部が露出する様に所定の部分に第２の絶縁体層を形成する工程、
該導体パターンを少なくとも１つ有する様に切り込みを入れ、該支持体から剥離して巻線部を形成する工程及び、
該巻線部を、該導体パターンの上面が露出した面を内側にした状態で該導体パターンの両端部が外周部に位置する様に巻回してコイルを形成する工程を備えることを特徴とするインダクタの製造方法。
【請求項２】
支持体上に第１の絶縁体層を形成する工程、
該第１の絶縁体層上に複数の導体パターンを形成する工程、
該導体パターンの上面の少なくとも一部が露出する様に所定の部分に第２の絶縁体層を形成する工程、
該導体パターンの上面の所定の位置に接着層を形成する工程、
該導体パターンを少なくとも１つ有する様に切り込みを入れ、該支持体から剥離して巻線部を形成する工程及び、
該巻線部を、該導体パターンの上面が露出した面を内側にした状態で該導体パターンの両端部が外周部に位置する様に巻回し、該接着層を該第１の絶縁体層に接着してコイルを形成する工程を備えることを特徴とするインダクタの製造方法。
【請求項３】
前記第１の絶縁層と前記第２の絶縁体層は熱硬化性樹脂又は熱硬化性樹脂を変性した樹脂で形成された請求項１又は請求項２に記載のインダクタの製造方法。
【請求項４】
前記第１の絶縁層と前記第２の絶縁体層は熱可塑性樹脂又は熱可塑性樹脂を変性した樹脂で形成された請求項１又は請求項２に記載のインダクタの製造方法。
【請求項５】
前記第１の絶縁層と前記第２の絶縁体層は光硬化性樹脂で形成された請求項１乃至請求項４のいずれかに記載のインダクタの製造方法。
【請求項６】
前記複数の導体パターンは、それぞれ接続部と、該接続部に連なって形成されて互いに逆方向に延在する第１導体部、第２導体部を備えた請求項１乃至請求項５のいずれかに記載のインダクタの製造方法。
【請求項７】
前記巻線部が巻芯に巻回され、コイルが形成された後、該巻芯が抜かれて空芯コイルが形成される請求項１乃至請求項６のいずれかに記載のインダクタの製造方法。
【請求項８】
前記巻線部が磁芯に巻回された請求項１乃至請求項６のいずれかに記載のインダクタの製造方法。
【発明の詳細な説明】
【技術分野】
【０００１】
本発明は、両方の引き出し端部がその外周部に位置する様に巻回してコイルが形成されるインダクタの製造方法に関するものである。
【背景技術】
【０００２】
従来のインダクタに、図９に示す様に、断面が円形で表面が絶縁体で被覆された導線９１をその両端が外周部に位置する様に巻芯に巻回し、これを巻芯から取り外して２段に巻回された空芯コイルを形成したものがある（例えば、特許文献１を参照。）。
この様に形成された従来のインダクタは、大電流が流れる電源回路やＤＣ／ＤＣコンバータ回路等に用いる場合、大きな直流電流許容値を有することが望まれており、インダクタの直流抵抗を小さくするために、導線を太くして断面積を大きくする必要があった。また、従来のインダクタは、導線の断面が円形であるために、隣接する導線間に空隙が生じ、占積率が低かった。従って、この様な従来のインダクタは、所望の特性を得るために形状が大きくなるという問題があった。
この様な問題を解決するために、図１０に示す様に、断面が角型で表面が絶縁体で被覆された導線１０１をその両端が外周部に位置する様に巻芯に巻回し、これを巻芯から取り外して２段に巻回された空芯コイルを形成したものがある（例えば、特許文献２、３を参照。）。
この様に形成された従来のインダクタは、導線１０１の表面全体が絶縁体で被覆されているため、各導線の導体部分との間にその被覆の厚みの２倍の無駄なスペースが生じてしまい、緻密なインダクタを形成するのには限界があった。また、この様な従来のインダクタは、導線の幅と高さのアスペクト比が高いので、１段目と２段目を繋ぐ部分１０１Ｓの距離が短くなる様に導線を変形させることは困難であり、無理に加工すると表面を被覆している絶縁体にクラック等の欠陥が発生するという問題があった。
【０００３】
また、別の従来のインダクタに、図１１に示す様に、渦巻き状導体パターン１１１Ａ、１１１Ｂと絶縁体層１１２Ａ、１１２Ｂ、１１２Ｃを積層し、絶縁体層１１２Ｂを介して配列された渦巻き状導体パターン１１１Ａと渦巻き状導体パターン１１１Ｂを絶縁体層１１２Ｂのスルーホールを介して接続したものがある（例えば、特許文献４を参照。）。
この様な従来のインダクタは、図１２に示す様に、絶縁体層１１２Ｂの両面に、導電材料とフォトレジスト１１３Ａ、１１３Ｂを用いたフォトリソ技術により渦巻き状導体パターン１１１Ａ、１１１Ｂが形成されて製造される。
この様に製造された従来のインダクタは、絶縁体層上に形成される導体パターン間が狭く、導体パターンの幅と高さのアスペクト比が高い渦巻き状導体パターンを形成しようとした場合、フォトレジストの強度と解像性に限界があるため、導体パターン間のスペースと導体パターンの幅と高さの比が１：２：５を超えるものを製造することが困難だった。
この様な問題を解決するために、図１３に示す様に、絶縁体層１３２Ｂの両面に、渦巻き状の下地電極１３１Ａ１、１３１Ｂ１を形成し、この渦巻き状の下地電極１３１Ａ１、１３１Ｂ１上にメッキ１３１Ａ２、１３１Ｂ２を施して渦巻き状導体パターンを形成して製造されたものがある（例えば、特許文献５を参照。）。
【先行技術文献】
【特許文献】
【０００４】
【特許文献１】特開2010-87242号公報
【特許文献２】特開2010-93145号公報
【特許文献３】特開2003-317547号公報
【特許文献４】特開2004-40001号公報
【特許文献５】特開2005-210010号公報
【発明の概要】
【発明が解決しようとする課題】
【０００５】
この様に製造された従来のインダクタは、導体パターン間のスペースを数μｍ程度まで狭くできるが、メッキによって導体パターンの幅と高さを制御することは困難であり、歩留まりが悪化する傾向にあった。また、導体パターンの幅と高さのアスペクト比も１：１程度が限界であり、導体パターンの断面積を大きくするためには、導体パターンの幅を広くする必要があり、インダクタの形状が大型化してしまう問題があった。
【０００６】
本発明は、導体の幅と高さのアスペクト比が高く、導体間のスペースが狭く、２段に巻回されたインダクタの１段目と２段目を繋ぐ部分の導体に応力負荷が生じることのないインダクタの製造方法を提供することを目的とする。
【課題を解決するための手段】
【０００７】
本発明のインダクタの製造方法は、支持体上に第１の絶縁体層を形成する工程、絶縁体層上に複数の導体パターンを形成する工程、導体パターンの上面の少なくとも一部が露出する様に所定の部分に第２の絶縁体層を形成する工程、導体パターンを少なくとも１つ有する様に切り込みを入れ、支持体から剥離して巻線部を形成する工程及び、巻線部を、導体パターンの上面が露出した面を内側にした状態で導体パターンの両端部が外周部に位置する様に巻回してコイルを形成する工程を備える。
また、本発明のインダクタの製造方法は、支持体上に第１の絶縁体層を形成する工程、絶縁体層上に複数の導体パターンを形成する工程、導体パターンの上面の少なくとも一部が露出する様に所定の部分に第２の絶縁体層を形成する工程、導体パターンの上面の所定位置に接着層を形成する工程、導体パターンを少なくとも１つ有する様に切り込みを入れ、支持体から剥離して巻線部を形成する工程及び、巻線部を、導体パターンの上面が露出した面を内側にした状態で導体パターンの両端部が外周部に位置する様に巻回し、接着層を該第１の絶縁体層に接着してコイルを形成する工程を備える。
【発明の効果】
【０００８】
本発明のインダクタの製造方法は、支持体上に第１の絶縁体層を形成する工程、絶縁体層上に複数の導体パターンを形成する工程、導体パターンの上面の少なくとも一部が露出する様に所定の部分に第２の絶縁体層を形成する工程、導体パターンを少なくとも１つ有する様に切り込みを入れ、支持体から剥離して巻線部を形成する工程及び、巻線部を、導体パターンの上面が露出した面を内側にした状態で導体パターンの両端部が外周部に位置する様に巻回してコイルを形成する工程を備えるので、導体の幅と高さのアスペクト比が高く、導体間のスペースが狭くすることができ、導体のインダクタの１段目と２段目を繋ぐ部分に応力負荷が生じるのを防止できる。
【図面の簡単な説明】
【０００９】
【図１】本発明に係るインダクタを示す斜視図である。
【図２】図１のＡ−Ｂ断面図である。
【図３】本発明のインダクタの製造方法の第１の実施例における製造工程を示す斜視図である。
【図４】本発明のインダクタの製造方法の第１の実施例における製造工程を示す斜視図である。
【図５】本発明に係る別のインダクタを示す斜視図である。
【図６】本発明のインダクタの製造方法の第２の実施例における製造工程を示す斜視図である。
【図７】本発明のインダクタの製造方法における製造工程を示す斜視図である。
【図８】本発明のインダクタの製造方法における製造工程を示す斜視図である。
【図９】従来のインダクタの断面図である。
【図１０】従来の別のインダクタの断面図である。
【図１１】従来のさらに別のインダクタの分解斜視図である。
【図１２】図１１のインダクタの断面図である。
【図１３】図１１のインダクタを別の製造方法で作成したインダクタの断面図である。
【発明を実施するための形態】
【００１０】
本発明のインダクタの製造方法は、まず、支持体上に第１の絶縁体層を形成する。この第１の絶縁体層上には複数の導体パターンが形成される。それぞれの導体パターンは、上面の少なくとも一部が露出する様に所定の部分に第２の絶縁体層が形成される。支持体上に形成された第１の絶縁体層、複数の導体パターン及び第２の絶縁体層の複合体は、少なくとも１つの導体パターン有するように第１の絶縁体層に切り込みが入れられ、それぞれ支持体から剥離して巻線部が形成される。この巻線部は導体パターンの上面の第２の絶縁体層が形成された部分に巻芯を接触させる。そして、導体パターンの上面が露出している面を内側にした状態で、導体パターンの中央部から両端部を互いに逆方向に巻線部を巻回してコイルを形成することにより、導体パターンの両端部をコイルの外周部に位置させる。この様に形成されたコイルは、加熱処理又は接着剤による接着処理により、巻線部が解けない様に固定した後、巻芯から抜き取ることにより、両方の引き出し端部がその外周部に位置するコイルが形成される。
従って、本発明のインダクタの製造方法は、巻回部の導体パターン上面の巻芯が接触する部分以外を露出させることができるので、この巻回部を導体パターンの上面が露出している面を内側にした状態で、導体パターンの中央部から両端部を互いに逆方向に巻線部を巻回した時、導体パターン間には導体パターンの下面に形成された第１の絶縁体層のみを有することとなり、導体パターンの間隔はこの第１の絶縁体層の厚みのみによって決定される。
【実施例】
【００１１】
以下、本発明のインダクタの製造方法の実施例を図１乃至図８を参照して説明する。
図１は本発明に係るインダクタを示す斜視図、図２は図１のＡ−Ｂ断面図である。
図１において、１１は巻回部、１１Ａは導体パターンである。
巻回部１１は、導体パターン１１Ａと絶縁体層１１Ｂを備える。
導体パターン１１Ａは、接続部と、この接続部に連なって互いに逆方向に延在する第１の導体部１１Ａ２と第２の導体部１１Ａ３を備え、上面側から全体を見た場合、クランク状に形成される。この導体パターン１１Ａは、下面全体、側面全体及び上面の中央部に絶縁体層１１Ｂが形成され、第１の導体部１１Ａ２の接続部から離間した部分の上面、第２の導体部１１Ａ３の接続部から離間した部分の上面、第１の導体部１１Ａ２の端面及び、第２の導体部１１Ａ３の端面が絶縁体層１１Ｂから露出する。
絶縁体層１１Ｂは、ポリイミド樹脂、不飽和ポリエステル樹脂、フェノール樹脂等の熱硬化性樹脂やこれらを変性した樹脂、ポリアミド樹脂、ポリエステル樹脂等の熱可塑性樹脂やこれらを変性した樹脂、光硬化性樹脂等の絶縁性を有する樹脂を用いて形成される。
この様に形成された巻回部１１は、導体パターン１１Ａの上面が露出した面を内側にした状態で、接続部１１Ａ１を基点として、第１の導体部１１Ａ２と第２の導体部１１Ａ３を互いに逆方向に巻回して、上面と端面以外が絶縁体層で被覆された第１の導体部１１Ａ２の端部と第２の導体部１１Ａ３の端部が外周部に位置する２段に巻回された空芯コイルが形成される。
この様に形成された空芯コイルは、このままの状態でインダクタとして用いられたり、この空芯コイルをフェライトや金属磁性体等の磁性体や樹脂等の絶縁体で構成される素体内に埋設され、この素体に形成された外部端子に接続されてインダクタとして用いられたりする。
【００１２】
この様なインダクタは次の様にして製造される。まず、図３（Ａ）に示す様に支持体３０を準備する。支持体３０は、チタンをスパッタや蒸着によって表面を被覆したチタン膜を有するシリコン基板、離型処理を施した定板、ＰＥＴフィルムや、粘着剤付きの片面粘着フィルム等が用いられる。
次に、この支持体３０の上面にエポキシ樹脂、ポリイミド樹脂、不飽和ポリエステル樹脂、フェノール樹脂等の熱硬化性樹脂およびこれらを変性した樹脂等ワニス状の樹脂をスピンコータ、キャピラリーコート、ダイコート、スクリン印刷、グラビア印刷、インクジェット印刷等の手法により塗布し、乾燥、硬化させて、図３（Ｂ）に示す様に、支持体３０の上面に絶縁体層３１Ｂ１が形成される。絶縁体層３１Ｂ１は、支持体３０の上面全体に形成しても良いし、支持体３０の上面の一部分に形成しても良い。ワニス状の樹脂をスピンコータで塗布した場合には、硬化後の絶縁体層の厚みを１μｍ程度に薄くできると共に、ピンホールの発生を防ぐことができる。絶縁体層の厚みを厚くしたり、絶縁体層の面積を大きくしたりする場合には、ワニス状の樹脂をキャピラリーコート、ダイコート、スクリン印刷、グラビア印刷、インクジェット印刷により塗布するとよい。また、絶縁体層の面積が小さく、厚みが薄い場合にはワニス状の樹脂をグラビアコートにより塗布することもできる。
続いて、この絶縁体層３１Ｂ１の上面全体にスパッタ、蒸着、無電解メッキ等により下地電極を形成し、電気メッキを施した後、全面にレジストを塗布し、露光し、導体パターンとなる部分以外のレジストを除去し、このレジストを介して電気メッキを施した下地電極をエッチングして、残ったレジストを除去することにより、図３（Ｃ）に示す様に、絶縁体層３１Ｂ１の上面に複数の導体パターン３１Ａが形成される。導体パターン３１Ａは、接続部３１Ａ１と、この接続部に連なって互いに逆方向に延在する第１の導体部３１Ａ２と第２の導体部３１Ａ３を備え、導体パターン３１Ａを上面側から見た場合、クランク状に形成される。
さらに、絶縁体層３１Ｂ１の上面に形成された複数の導体パターン３１Ａ上にメタルマスク等のマスク手段を配置して、複数の導体パターン３１Ａの側面と、後述の巻線機のシャフトが接触する接続部３１Ａ１の上面、第１の導体部３１Ａ２の接続部３１Ａ１側の上面及び、第２の導体部３１Ａ３の接続部３１Ａ１側の上面に絶縁体層３１Ｂ１と同じ材料を塗布し、乾燥硬化させて、図３（Ｄ）に示す様に、複数の導体パターン３１Ａの側面と、後述の巻線機のシャフトが接触する接続部３１Ａ１の上面、第１の導体部３１Ａ２の接続部３１Ａ１側の上面及び、第２の導体部３１Ａ３の接続部３１Ａ１側の上面に絶縁体層３１Ｂ２が形成される。この時、絶縁体層３１Ｂ２は、位置精度を改善するために、絶縁体層３１Ｂ１の上面全体に光硬化性樹脂を塗布し、これをフォトリソグラフィやレーザー描画により不要な部分を除去して形成してもよい。この絶縁体層３１Ｂ２と絶縁体層３１Ｂ１により、導体パターン３１Ａの下面全体、側面全体及び上面の中央部に絶縁体層が形成され、導体パターン３１Ａの巻線機のシャフトが接触することのない第１の導体部３１Ａ２の接続部３１Ａ１から離間した部分の上面と第２の導体部３１Ａ３の接続部３１Ａ１から離間した部分の上面及び、第１の導体部３１Ａ２と第２の導体部３１Ａ３の端面が絶縁体層から露出する。
次に、絶縁体層３１Ｂ２が形成された導体パターン３１Ａ間に位置する絶縁体層３１Ｂ１をレーザー、打ち抜き、押し切り、ドライエッチング、ダイシング等の手段により除去する。そして、絶縁体層で被覆された導体パターン３１Ａを支持体３０からそれぞれ分離することにより、図３（Ｅ）に示す様に、巻線部３１が形成される。この時、支持体３０にチタン膜を有するシリコン基板を用いた場合、フッ化水素酸浴内に支持体３０を浸漬し、チタン膜を溶解することにより支持体３０と絶縁体層で被覆された導体パターン３１Ａが分離される。巻線部３１は、上面側から全体を見た場合、クランク状に形成され、導体パターン３１Ａの巻線機のシャフトが接触することのない第１の導体部３１Ａ２の接続部から離間した部分の上面と第２の導体部３１Ａ３の接続部から離間した部分の上面及び、第１の導体部３１Ａ２と第２の導体部３１Ａ３の端面以外の部分が絶縁体で被覆される。
さらに、この巻線部３１の第１の導体部３１Ａ２の上面と第２の導体部３１Ａ３の上面の所望の部分に接着剤を塗布して、図３（Ｆ）に示す様に、巻線部３１の第１の導体部３１Ａ２と第２の導体部３１Ａ３にそれぞれ接着層３１Ｃが形成される。
続いて、巻線部３１の導体パターン３１Ａの上面が露出した面を内側にした状態で、導体パターン３１Ａの上面の中央部に形成された絶縁体層３１Ｂに巻線機のシャフト３４を接触させる。この状態で、巻線部３１の第１の導体部３１Ａ２と第２の導体部３１Ａ３を互いに逆方向に回転させて、図４に示す様に、巻線機のシャフト３４の外周に巻線部３１を巻回し、上面と端面以外が絶縁体層で被覆された第１の導体部３１Ａ２の端部と第２の導体部３１Ａ３の端部を外周部に位置させる。そして、接着層３１Ｃを硬化させて第１の導体部３１Ａ２の上面と絶縁体層３１Ｂを、第２の導体部３１Ａ３の上面と絶縁体層３１Ｂをそれぞれ接着する。
最後に、巻線機のシャフト３４からこれらを引き抜くことにより、上面以外が絶縁体層で被覆された第１の導体部３１Ａ２の端部と第２の導体部３１Ａ３の端部が外周部に位置する２段に巻回された空芯コイルが形成される。
【００１３】
図５は本発明に係る別のインダクタを示す斜視図である。
巻回部５１は、導体パターン５１Ａと絶縁体層５１Ｂを備える。
導体パターン５１Ａは、接続部と、この接続部に連なって互いに逆方向に延在する第１の導体部５１Ａ２と第２の導体部５１Ａ３を備える。この導体パターン５１Ａは、下面全体、側面全体及び上面の中央部に絶縁体層５１Ｂが形成され、第１の導体部５１Ａ２の接続部から離間した部分の上面、第２の導体部５１Ａ３の接続部から離間した部分の上面、第１の導体部５１Ａ２の端面及び、第２の導体部５１Ａ３の端面が絶縁体層５１Ｂから露出する。
この様に形成された巻回部５１は、導体パターン５１Ａの上面が露出した面を内側にした状態で、磁性体で形成されたコア５５に巻回して、上面と端面以外が絶縁体層で被覆された第１の導体部１１Ａ２の端部と第２の導体部１１Ａ３の端部が外周部に位置する２段に巻回されたコイルが形成される。
この様に形成されたコイルは、このままの状態でインダクタとして用いられたり、このコイルをフェライトや金属磁性体等の磁性体や樹脂等の絶縁体で構成される素体内に埋設され、この素体に形成された外部端子に接続されてインダクタとして用いられたりする。
【００１４】
この様なインダクタは次の様にして製造される。まず、前述の実施例と同様にして、支持体上に、絶縁体層６１Ｂ１と、側面全体及び上面の中央部に絶縁体層６１Ｂ２が形成され、第１の導体部６１Ａ２の接続部から離間した部分の上面、第２の導体部６１Ａ３の接続部から離間した部分の上面、第１の導体部６１Ａ２の端面及び、第２の導体部６１Ａ３の端面が絶縁体層６１Ｂから露出した複数の導体パターン６１Ａが形成される。
次に、絶縁体層６１Ｂ２が形成された複数の導体パターン６１Ａ間に位置する絶縁体層６１Ｂをレーザー、打ち抜き、押し切り、ドライエッチング、ダイシング等の手段により除去する。この時、いくつかの導体パターン６１Ａが少なくとも部分的に連結される様に絶縁体層６１Ｂが除去される。そして、これらを支持体からそれぞれ分離することにより、図６（Ａ）に示す様に、部分的に連結された複数の巻線部６１が形成される。それぞれの巻線部６１は、導体パターン６１Ａの磁性体で形成された磁芯が接触することのない第１の導体部６１Ａ２の接続部から離間した部分の上面と第２の導体部６１Ａ３の接続部から離間した部分の上面及び、第１の導体部６１Ａ２と第２の導体部６１Ａ３の端面以外の部分が絶縁体で被覆されている。
続いて、それぞれ巻線部６１の第１の導体部６１Ａ２の上面と第２の導体部６１Ａ３の上面の所望の部分に接着剤を塗布して、図６（Ｂ）に示す様に、巻線部６１の第１の導体部６１Ａ２と第２の導体部６１Ａ３にそれぞれ接着層６１Ｃが形成される。
さらに、巻線部６１の導体パターン６１Ａの上面が露出した面を内側にした状態で、導体パターン６１Ａの上面の中央部に形成された絶縁体層６１Ｂに磁性体で形成された磁芯６４を接触させる。この状態で、巻線部６１の第１の導体部６１Ａ２と第２の導体部６１Ａ３を互いに逆方向に回転させて、磁性体で形成された磁芯６４の外周に複数の巻線部６１を巻回し、上面と端面以外が絶縁体層で被覆された第１の導体部６１Ａ２の端部と第２の導体部６１Ａ３の端部が外周部に位置させる。そして、接着層６１Ｃを硬化させて第１の導体部６１Ａ２の上面と絶縁体層６１Ｂを、第２の導体部６１Ａ３の上面と絶縁体層６１Ｂをそれぞれ接着した後、磁芯６４を少なくとも１つの巻線部６１を有する様に切断すると共に、複数の巻線部６１を連結している部分を切断することにより、上面と端面以外が絶縁体層で被覆された第１の導体部６１Ａ２の端部と第２の導体部６１Ａ３の端部が外周部に位置する２段に巻回されたコイルが形成される。
【００１５】
以上、本発明のインダクタの製造方法の実施例を述べたが、本発明はこれらの実施例に限定されるものではない。例えば、第１の実施例において、図７に示す様に、支持体上の絶縁体層７１Ｂ１に複数の導体パターン７１Ａを互い違いに形成し、導体パターン７１Ａの側面と上面中央部に絶縁体層７１Ｂ２を形成して複数の巻線部を形成することもできる。この場合、支持体上に導体パターンを密集して形成できるので、少ない面積で多くの巻線部を形成することができる。
また、支持体にＰＥＴフィルムを用いた場合には、ＰＥＴフィルム上に樹脂に光硬化型樹脂を用いて絶縁体層を形成、乾燥し、別途ラミネータ上に銅箔をエッチング等により導体パターンを形成し、これを絶縁体層に貼り合せ、ＰＥＴフィルム側から紫外線を照射し、ラミネータを剥離して、ＰＥＴフィルム上の絶縁体層上に複数の導体パターンを形成してもよい。
さらに、巻線部は、図８（Ａ）に示す様に、導体パターンの接続部を２つの導体部を斜めに接続する様に形成したり、図８（Ｂ）に示す様に、導体パターンの接続部をＳ字に形成したりと様々な形状に形成することができる。
またさらに、第１の絶縁体層と第２の絶縁体層は、ポリイミド樹脂、不飽和ポリエステル樹脂、フェノール樹脂等の熱硬化性樹脂又は熱硬化性樹脂を変性した樹脂、ポリアミド樹脂、ポリエステル樹脂等の熱可塑性樹脂又は熱可塑性樹脂を変性した樹脂、光硬化性樹脂等様々な樹脂で形成することができる。
【符号の説明】
【００１６】
１１  巻回部
１１Ａ  導体パターン
１１Ｂ  絶縁体層
【図１】
2015115515.tif 000003
【図２】
2015115515.tif 000004
【図３】
2015115515.tif 000005
【図４】
2015115515.tif 000006
【図５】
2015115515.tif 000007
【図６】
2015115515.tif 000008
【図７】
2015115515.tif 000009
【図８】
2015115515.tif 000010
【図９】
2015115515.tif 000011
【図１０】
2015115515.tif 000012
【図１１】
2015115515.tif 000013
【図１２】
2015115515.tif 000014
【図１３】
2015115515.tif 000015